(57)【要約】【課題】製造コストを低減させることができるとともに、患者本人のみで形状の決定を行うことができる人工乳房その製造のための模擬部材を提供する。【解決手段】患者の胸部に装着可能なウレタン製人工乳房において、積層可能とされた平面視で円形状又は楕円形状の複数のシート状ウレタン１ａ〜１ｆから成るとともに積層状態にて山形状を成すべくそれぞれの径を異ならせた積層部材１を、任意の枚数及び配置で積層させて、患者の胸部に合わせた任意高さ及び形状の山形状を成形し、成形された山形状の外輪郭に基づきブロック状ウレタンを切削加工して得られるものである。【選択図】図２
2008188132.tif 000002
【特許請求の範囲】
【請求項１】
患者の胸部に装着可能なウレタン製人工乳房において、
積層可能とされた平面視で円形状又は楕円形状の複数のシート状ウレタンから成るとともに積層状態にて山形状を成すべくそれぞれの径を異ならせた積層部材を、任意の枚数及び配置で積層させて、患者の胸部に合わせた任意高さ及び形状の山形状を成形し、成形された山形状の外輪郭に基づきブロック状ウレタンを切削加工して得られることを特徴とするウレタン製人工乳房。
【請求項２】
前記山形状の最下部に、患者の胸部における欠損部位に対応した形状の対応部材を積層させ、当該対応部材を含んだ山形状の外輪郭に基づき形成されることを特徴とする請求項１記載のウレタン製人工乳房。
【請求項３】
前記積層部材又は対応部材は、前記ブロック状ウレタンと略同質のものとされたことを特徴とする請求項２記載のウレタン製人工乳房。
【請求項４】
前記ブロック状ウレタンは、所定量の竹炭を含有したことを特徴とする請求項１〜請求項３の何れか１つに記載のウレタン製人工乳房。
【請求項５】
患者の胸部に装着可能なウレタン製人工乳房を製造するための模擬部材であって、
積層可能とされた平面視で円形状又は楕円形状の複数のシート状ウレタンから成るとともに積層状態にて山形状を成すべくそれぞれの径を異ならせた積層部材から成り、当該積層部材を積層させて患者の胸部に合わせた任意高さ及び形状の山形状を成形することにより、成形された山形状の外輪郭に基づきブロック状ウレタンを切削加工してウレタン製人工乳房を製造し得ることを特徴とするウレタン製人工乳房を製造するための模擬部材。
【請求項６】
前記山形状の最下部に積層可能とされ、患者の胸部における欠損部位に対応した形状の対応部材を有し、当該対応部材を含んだ山形状の外輪郭に基づきウレタン製人工乳房が製造されることを特徴とする請求項５記載のウレタン製人工乳房を製造するための模擬部材。
【請求項７】
前記積層部材又は対応部材は、製造されるべき前記ウレタン製人工乳房と略同質のものとされたことを特徴とする請求項６記載のウレタン製人工乳房を製造するための模擬部材。
【発明の詳細な説明】
【技術分野】
【０００１】
本発明は、患者の胸部に装着可能なウレタン製人工乳房及びその製造のための模擬部材に関するものである。
【背景技術】
【０００２】
例えば外科手術により乳房が除去された患者が胸部に装着可能な人工乳房は、従来より、ウレタンの原料を型内に投入した後、これを発泡せさつつ成形することにより得られるウレタン製のものが提案されている。尚、かかる先行技術は、文献公知発明に係るものでないため、記載すべき先行技術文献情報はない。
【発明の開示】
【発明が解決しようとする課題】
【０００３】
しかしながら、上記従来の人工乳房においては、患者の胸部に合致させた形状の型が必要となるため、患者毎の任意形状の型を多数用意しなければならず、製造コストが嵩んでしまうという問題があった。また、患者においては、特に形状の決定過程で第三者を介在させず、本人のみで任意形状の人工乳房の形状を決定したいという要求が高いのに対し、従来のものでは、形状の決定過程で第三者の介在はやむを得ないという状況にあった。
【０００４】
本発明は、このような事情に鑑みてなされたもので、製造コストを低減させることができるとともに、患者本人のみで形状の決定を行うことができる人工乳房その製造のための模擬部材を提供することにある。
【課題を解決するための手段】
【０００５】
請求項１記載の発明は、患者の胸部に装着可能なウレタン製人工乳房において、積層可能とされた平面視で円形状又は楕円形状の複数のシート状ウレタンから成るとともに積層状態にて山形状を成すべくそれぞれの径を異ならせた積層部材を、任意の枚数及び配置で積層させて、患者の胸部に合わせた任意高さ及び形状の山形状を成形し、成形された山形状の外輪郭に基づきブロック状ウレタンを切削加工して得られることを特徴とする。
【０００６】
請求項２記載の発明は、請求項１記載のウレタン製人工乳房において、前記山形状の最下部に、患者の胸部における欠損部位に対応した形状の対応部材を積層させ、当該対応部材を含んだ山形状の外輪郭に基づき形成されることを特徴とする。
【０００７】
請求項３記載の発明は、請求項２記載のウレタン製人工乳房において、前記積層部材又は対応部材は、前記ブロック状ウレタンと略同質のものとされたことを特徴とする。
【０００８】
請求項４記載の発明は、請求項１〜請求項３の何れか１つに記載のウレタン製人工乳房において、前記ブロック状ウレタンは、所定量の竹炭を含有したことを特徴とする。
【０００９】
請求項５記載の発明は、患者の胸部に装着可能なウレタン製人工乳房を製造するための模擬部材であって、積層可能とされた平面視で円形状又は楕円形状の複数のシート状ウレタンから成るとともに積層状態にて山形状を成すべくそれぞれの径を異ならせた積層部材から成り、当該積層部材を積層させて患者の胸部に合わせた任意高さ及び形状の山形状を成形することにより、成形された山形状の外輪郭に基づきブロック状ウレタンを切削加工してウレタン製人工乳房を製造し得ることを特徴とする。
【００１０】
請求項６記載の発明は、請求項５記載のウレタン製人工乳房を製造するための模擬部材において、前記山形状の最下部に積層可能とされ、患者の胸部における欠損部位に対応した形状の対応部材を有し、当該対応部材を含んだ山形状の外輪郭に基づきウレタン製人工乳房が製造されることを特徴とする。
【００１１】
請求項７記載の発明は、請求項６記載のウレタン製人工乳房を製造するための模擬部材において、前記積層部材又は対応部材は、製造されるべき前記ウレタン製人工乳房と略同質のものとされたことを特徴とする。
【発明の効果】
【００１２】
請求項１の発明によれば、ウレタンを成形するための型が不要となるため製造コストを低減させることができるとともに、積層部材を、任意の枚数及び配置で積層させて、患者の胸部に合わせた任意高さ及び形状の山形状を成形し、成形された山形状の外輪郭に基づきブロック状ウレタンを切削加工して人工乳房を得ることができるので、患者本人のみで形状の決定を行うことができる。
【００１３】
請求項２の発明によれば、山形状の最下部に、患者の胸部における欠損部位に対応した形状の対応部材を積層させ、当該対応部材を含んだ山形状の外輪郭に基づき人工乳房が形成されるので、外科手術等で欠損した患者の胸部にも合致した人工乳房を得ることができる。
【００１４】
請求項３の発明によれば、積層部材又は対応部材は、ブロック状ウレタンと略同質のものとされたので、最終的に得られる人工乳房を患者がイメージし易く、任意形状の決定を行い易くすることができる。
【００１５】
請求項４の発明によれば、ブロック状ウレタンは、所定量の竹炭を含有したので、当該ブロック状ウレタンを切削加工して得られた人工乳房において、高い抗菌効果や消臭効果或いは防かび効果を発揮させることができる。
【００１６】
請求項５の発明によれば、積層部材を積層させて患者の胸部に合わせた任意高さ及び形状の山形状を成形することにより、成形された山形状の外輪郭に基づきブロック状ウレタンを切削加工してウレタン製人工乳房を製造し得るので、第三者を完全に遮断し得る環境下で患者が人工乳房の形状を決定することができる。
【００１７】
請求項６の発明によれば、対応部材を含んだ山形状の外輪郭に基づきウレタン製人工乳房が製造されるので、第三者を完全に遮断し得る環境下で外科手術等で欠損した患者の胸部にも合致した人工乳房の形状を決定することができる。
【００１８】
請求項７の発明によれば、積層部材又は対応部材は、製造されるべきウレタン製人工乳房と略同質のものとされたので、第三者を完全に遮断し得る環境下でも最終的に得られる人工乳房を患者がイメージし易く、任意形状の決定を行い易くすることができる。
【発明を実施するための最良の形態】
【００１９】
以下、本発明の実施形態について図面を参照しながら具体的に説明する。
本実施形態に係る人工乳房は、例えば外科手術により乳房が除去された患者が胸部に装着可能なもので、図１に示すように、形状決定工程Ｓ１と、その決定された形状の外輪郭を計測する計測工程Ｓ２と、その計測された外輪郭形状に基づき人工乳房を切削加工する切削加工工程Ｓ３とを経て製造されるものである。
【００２０】
形状決定工程Ｓ１は、得られる人工乳房の形状を患者が決定し得る工程であり、当該形状の決定は、図２で示すように、何れもウレタンから成る積層部材１及び矩形状シート部材２を用いて行われる。積層部材１は、積層可能とされた平面視で円形状（又は楕円形状であってもよい）の複数のシート状ウレタンから成るとともに、対応部材３は、ウレタンから成る１枚の矩形状シート部材を患者が任意形状に切除して得られるものであり、これらは本実施形態に係るウレタン製人工乳房を製造するための模擬部材を構成するものである。
【００２１】
具体的には、積層部材１は、図３に示すように、径がＤ１〜Ｄ６の順に小さく設定されて、積層状態にて山形状を成すべくそれぞれの径を異ならせた複数（本実施形態においては６枚）のシート状ウレタン１ａ〜１ｆから成り、患者が任意選択して積層状態（図５参照）とし得るものである。即ち、患者が得たい人工乳房の膨出寸法を大きくしたい場合は、多くの積層部材１を選択して積層させる一方、膨出寸法を小さくしたい場合は、少ない積層部材１を選択して、互いに任意位置となるよう積層させるのである。
【００２２】
これにより、積層状態の積層部材１が全体として山形状を成し、患者の乳房に疑似させた積層物を得ることができる。尚、積層に際しては、各シート状ウレタン１ａ〜１ｆの裏面に接着剤や両面テープ等を塗布或いは接着しておき、積層後の各シート状ウレタン１ａ〜１ｆが山形状を維持し得るようにしておく。また、積層の前に、各シート状ウレタン１ａ〜１ｆを患者がハサミやカッター等の刃具で所望形状に切削し、全体として更に任意の形状を得ることもできる。
【００２３】
対応部材３は、図４で示すように、矩形状シート部材２に対して患者がハサミやカッター等の刃具で所望形状に切削することにより、例えば外科手術により生じた患者の胸部における欠損部位に対応させた形状としたものである。然るに、この対応部材３は、図５に示すように、積層部材１が成す山形状の最下部に積層可能とされ、既述した接着剤や両面テープ等にて接着されるべきものである。
【００２４】
上記のように、積層部材１及び対応部材３から成る模擬部材を積層させることにより、得られる人工乳房の全体形状を決定することができるので、第三者を完全に遮断し得る環境下で患者本人が人工乳房の形状を決定することができ、患者のプライバシーを守ることができる。また、例えば、模擬部材（積層部材１及び対応部材３）をキットとして患者の自宅等に送付し、患者が形状を決定した後、それを返送してもらえば、患者のプライバシーを更に守ることができる。
【００２５】
上記の如く積層部材１及び対応部材３を積層して得られた山形状は、工場などの加工工程に送られ、当該山形状の外輪郭に基づいて患者が装着可能な人工乳房が製造される。即ち、積層部材１及び対応部材３から成る山形状を３次元的に計測し（計測工程Ｓ２）、その計測値に基づいてブロック状ウレタン（直方体や立方体形状の発泡ウレタン）を切削加工して（切削加工工程Ｓ３）、図６で示すような一体且つ立体的なウレタン製人工乳房４を製造するのである。
【００２６】
かかるウレタン製人工乳房４は、積層状態の積層部材１の外輪郭に倣って形成された山形状部４ａと、対応部材３の平面形状に倣って形成された対応部４ｂとを有して成るものであり、患者が胸部に装着し得るようになっている。然るに、積層状態の積層部材１は、積層部位毎に複数の段形状が形成されているが、人体の乳房に疑似させるべく、当該段形状を均し、全体としてなだらかな山形状部４ａとしている。
【００２７】
ブロック状ウレタンは、所定量の竹炭を含有して成るもの（ウレタンの材料に所定量の竹炭を含有させ、ブロック状に発泡させたもの）であり、これにより切削加工して得られたウレタン製人工乳房にも所定量の竹炭が含有することとなる。このように、本実施形態に係るウレタン製人工乳房は、竹炭を含有しているため、その竹炭の作用により、高い抗菌効果や消臭効果或いは防かび効果を発揮させることができる。
【００２８】
ここで、本実施形態においては、積層部材１及び対応部材３は、ブロック状ウレタンと略同質のもの（例えば、発泡の具合や竹炭の含有量等）とされている。これにより、第三者を完全に遮断し得る環境下でも最終的に得られる人工乳房を患者がイメージし易く、任意形状の決定を行い易くすることができる。尚、積層部材１及び対応部材３は、ブロック状ウレタンと質感を同等にしつつ竹炭を含有させないものとしてもよい。
【００２９】
以上のように、本実施形態に係るウレタン製人工乳房によれば、ウレタンを成形するための型が不要となるため製造コストを低減させることができるとともに、積層部材１を、任意の枚数及び配置で積層させて、患者の胸部に合わせた任意高さ及び形状の山形状を成形し、成形された山形状の外輪郭に基づきブロック状ウレタンを切削加工して人工乳房を得ることができるので、患者本人のみで形状の決定を行うことができる。また、第三者を完全に遮断し得る環境下で患者が人工乳房の形状を決定することができ、患者のプライバシーをより守ることができる。
【００３０】
更に、本実施形態によれば、山形状の最下部に、患者の胸部における欠損部位に対応した形状の対応部材を積層させ、当該対応部材を含んだ山形状の外輪郭に基づき人工乳房が形成されるので、第三者を完全に遮断し得る環境下で外科手術等で欠損した患者の胸部にも合致した人工乳房を得ることができる。
【００３１】
また更に、本実施形態に係るウレタン製人工乳房は、その低反発の弾性故、装着者の肌に確実に密着してずれを抑制することができるとともに、軽量であることから、装着者に対する負担を低減させることができる。特に、本実施形態においては、人工乳房と一体形成された対応部材が外科手術等で欠損した患者の胸部に合致するので、ずれをより抑制して装着性を更に向上させ得るとともに、当該欠損した胸部の保護及び体型の補整を図ることができる。尚、本実施形態に係るウレタン製人工乳房は、通気性に富む故、装着時の蒸れを抑制し得るとともに繰り返しの洗濯が可能であることから、衛生上好ましいものとなっている。
【００３２】
以上、本実施形態について説明したが、本発明はこれに限定されず、例えば模擬部材に対応部材３を具備させず、シート状ウレタン１ａ〜１ｆから成る積層部材１のみのものとしてもよい。また、積層可能なシート状ウレタンの枚数或いはそれぞれの肉厚は、任意に設定することができる。更に、本実施形態に係るウレタン製人工乳房おいては、竹炭を所定量含有しているが、他の材料（例えば着色のための顔料等）を含有させてもよい。
【産業上の利用可能性】
【００３３】
積層可能とされた平面視で円形状又は楕円形状の複数のシート状ウレタンから成るとともに積層状態にて山形状を成すべくそれぞれの径を異ならせた積層部材を、任意の枚数及び配置で積層させて、患者の胸部に合わせた任意高さ及び形状の山形状を成形し、成形された山形状の外輪郭に基づきブロック状ウレタンを切削加工して得られるウレタン製人工乳房、又は当該ウレタン製人工乳房を製造するための模擬部材であれば、外観形状が異なるもの或いは他の機能が付与されたもの等にも適用することができる。
【図面の簡単な説明】
【００３４】
【図１】本発明の実施形態に係るウレタン製人工乳房の製造工程を示すブロック図
【図２】同ウレタン製人工乳房を製造するための模擬部材を示す斜視図
【図３】同模擬部材における積層部材を成す積層可能な複数のシート状ウレタンを示す模式図
【図４】同模擬部材における対応部材を示す模式図
【図５】同模擬部材を積層させて山形状を形成した状態を示す平面図及び正面図
【図６】同模擬部材に基づき製造されたウレタン製人工乳房を示す平面図及び正面図
【符号の説明】
【００３５】
１    積層部材
１ａ〜１ｆ  シート状ウレタン
２    矩形状シート部材
３    対応部材
４    人工乳房
４ａ  山形状部
４ｂ  対応部
【図１】
2008188132.tif 000003
【図２】
2008188132.tif 000004
【図３】
2008188132.tif 000005
【図４】
2008188132.tif 000006
【図５】
2008188132.tif 000007
【図６】
2008188132.tif 000008